(57)【要約】【課題】ＨＤＭＩ接続しても問題ないＨＤＭＩ対応のテレビジョン受像機やオーディオアンプなどのレシーバ機器のメーカ名や型番などをユーザが前もって知ることができる映像音声情報出力装置を提供する。【解決手段】ＨＤＭＩ接続テストを行った結果、ＨＤＭＩ接続テストに合格したレシーバ機器（テレビジョン受像機やオーディオ機器）のメーカ名および型番を含む機器固有情報を、機器固有情報記憶手段によりフラッシュＲＯＭに記憶させる。そして、接続テスト済み機器表示要求があったことが検知されると、接続テスト済み機器表示手段により、フラッシュＲＯＭから機器固有情報が読み出され、表示部に接続テスト済み機器の一覧が表示される。ユーザは、レシーバ機器のメーカ名や型版番を参考にして、レシーバ機器の購入検討を行うことができる。【選択図】図６
2008147832.tif 000002
【特許請求の範囲】
【請求項１】
映像音声情報を出力するＨＤＭＩ対応の映像音声情報出力装置であって、
前記映像音声情報出力装置と、ＨＤＭＩ対応の映像音声出力装置または音声出力装置であるレシーバ機器とを、ＨＤＭＩケーブルを介して接続して、前記レシーバ機器からのＥＤＩＤを前記映像音声情報出力装置に読み込ませて、前記映像音声情報出力装置からの対応解像度ごとに前記レシーバ機器で正常に映像音声または音声が出力されるか否かのＨＤＭＩ接続テストを行う場合、
前記ＨＤＭＩケーブルを抜き差して、前記レシーバ機器にて映像が正常に出るか否かを判断する第１ステップと、
前記映像音声情報出力装置の電源をオフし再びオンして、前記レシーバ機器にて映像が正常に出るか否かを判断する第２ステップと、
前記レシーバ機器の電源をオフし再びオンして、前記レシーバ機器にて映像が正常に出るか否かを判断する第３ステップと、
第１ステップと第２ステップと第３ステップによる接続テスト結果が全部ＯＫであるか否かを判断する第４ステップと、
前記第４ステップの判断による接続テスト結果の何れかがＮＧであれば、前記接続テスト結果をＮＧと判断する第５ステップと、
前記第４ステップの判断による接続テスト結果が全部ＯＫであるが、前記レシーバ機器が前記映像音声情報出力装置の音声対応の機器でなければ、前記接続テスト結果をＯＫと判断する第６ステップと、
前記第４ステップの判断による接続テスト結果が全部ＯＫであり、前記レシーバ機器が前記映像音声情報出力装置の音声対応の機器であれば、対応解像度ごとに、基本のサンプリング周波数である所定の各周波数の音声が前記レシーバ機器から出力されるか否かを判断する第７ステップと、
前記所定の各周波数の音声が前記レシーバ機器から出力されていないことが確認された場合は、前記接続テスト結果をＮＧと判断する第８ステップと、
前記所定の各周波数の音声が前記レシーバ機器から出力されていることが確認された場合は、前記接続テスト結果をＯＫと判断する第９ステップとの各ステップに従ってＨＤＭＩ接続テストを行い、
ＨＤＭＩ接続テストに合格したレシーバ機器のメーカ名および型番を含む機器固有情報をメモリに記憶させる機器固有情報記憶手段と、接続テスト済み機器表示要求があったときに前記メモリから機器固有情報を読み出し接続テスト済み機器の一覧表示画面を表示部に表示させる接続テスト済み機器表示手段とを有することを特徴とする映像音声情報出力装置。
【請求項２】
映像音声情報を出力するＨＤＭＩ対応の映像音声情報出力装置であって、
ＨＤＭＩ対応の映像音声情報出力装置と、ＨＤＭＩ対応のテレビジョン受像機やオーディオ機器などのレシーバ機器とを、ＨＤＭＩケーブルを介して接続して、前記レシーバ機器からのＥＤＩＤを前記映像音声情報出力装置に読み込ませて、前記映像音声情報出力装置からの対応解像度ごとに前記レシーバ機器で正常に映像および音声が出力されるか否かのＨＤＭＩ接続テストを行い、
ＨＤＭＩ接続テストに合格したレシーバ機器のメーカ名および型番を含む機器固有情報をメモリに記憶させる機器固有情報記憶手段と、接続テスト済み機器表示要求があったときに前記メモリから機器固有情報を読み出し接続テスト済み機器の一覧表示画面を表示部に表示させる接続テスト済み機器表示手段とを有することを特徴とする映像音声情報出力装置。
【請求項３】
前記ＨＤＭＩ接続テストは、前記ＨＤＭＩケーブルを抜き差して、前記レシーバ機器にて映像が正常に出るか否かを判断する第１ステップと、
前記映像音声情報出力装置の電源をオフし再びオンして、前記レシーバ機器にて映像が正常に出るか否かを判断する第２ステップと、
前記レシーバ機器の電源をオフし再びオンして、前記レシーバ機器にて映像が正常に出るか否かを判断する第３ステップと、
第１ステップと第２ステップと第３ステップによる接続テスト結果が全部ＯＫであるか否かを判断する第４ステップと、
前記第４ステップの判断による接続テスト結果の何れかがＮＧであれば、前記接続テスト結果をＮＧと判断する第５ステップと、
前記第４ステップの判断による接続テスト結果が全部ＯＫであるが、前記レシーバ機器が前記映像音声情報出力装置の音声対応の機器でなければ、前記接続テスト結果をＯＫと判断する第６ステップと、
前記第４ステップの判断による接続テスト結果が全部ＯＫであり、前記レシーバ機器が前記映像音声情報出力装置の音声対応の機器であれば、対応解像度ごとに、基本のサンプリング周波数である所定の各周波数の音声が前記レシーバ機器から出力されるか否かを判断する第７ステップと、
前記所定の各周波数の音声が前記レシーバ機器から出力されていないことが確認された場合は、前記接続テスト結果をＮＧと判断する第８ステップと、
前記所定の各周波数の音声が前記レシーバ機器から出力されていることが確認された場合は、前記接続テスト結果をＯＫと判断する第９ステップとにより、ＨＤＭＩ接続テストを行うことを特徴とする請求項２に記載の映像音声情報出力装置。
【発明の詳細な説明】
【技術分野】
【０００１】
本発明は、映像音声情報を出力するＨＤＭＩ対応の映像音声情報出力装置に関し、特に、ＨＤＭＩ対応のテレビジョン受像機やオーディオアンプなどのレシーバ機器をＨＤＭＩ接続する場合に、接続テスト済みのレシーバ機器のメーカ名や型番を表示部に表示できる機能を有する映像音声情報出力装置に関する。
【背景技術】
【０００２】
近年、映像音声情報出力装置としての光ディスク再生装置に用いるテレビジョン受像機の表示画面の超高精細化は、液晶パネル製造技術の進歩によって著しく発展して、非常に膨大な情報量のビデオデータを高精細に表示することが可能になった。このようなテレビジョン受像機では、非常に多くのビデオデータおよびオーディオデータを光ディスク再生装置から送信させるため、ＨＤＭＩ（High Definition Multimedia Interface）と言うインターフェイスが用いられている。
【０００３】
ＨＤＭＩは、光ディスク再生装置からテレビジョン受像機やプロジェクタなどのレシーバ機器へビデオデータおよびオーディオデータを伝送するためのインターフェイスである。ＨＤＭＩは、従来の規格であるＤＶＩ（Digital Visual Interface for Computer）Ver1.0を拡張したものである。具体的には、ＤＶＩはビデオデータのみを送信する規格のインターフェイスであるのに対し、ＨＤＭＩは、ビデオデータの他、オーディオデータおよびその他のデータもひとつのケーブルで送信できる規格のインターフェイスである。更に、ＨＤＭＩは、高品質のマルチチャンネルのオーディオデータと高解像度の各種フォーマットのビデオデータの伝送が可能である。
【０００４】
ＨＤＭＩは、ＤＤＣ（Display Data Channel）通信により、各種の情報（モニタの情報、例えば、ＥＤＩＤデータ構造など）を伝送するのに用いられることも可能である。ＥＤＩＤ（Extended Display Identification Data）とは、レシーバ機器の受信可能な解像度、オーディオストリーム情報、ＨＤＭＩ受信部の持つスピーカ情報などがある。また、ＨＤＭＩは、ひとつのケーブルでビデオデータおよびオーディオデータを伝送することができ、複数ケーブル接続の煩わしさがなくなるという利点を有している。例えば、光ディスク再生装置からＣＳＳ（Content Scrambling System）におけるコンテンツを出力する場合において、ＨＤＭＩは、ＣＰＡＣ（Copy Protection Advisory Council）により承認されている規格のインターフェイスである。
【０００５】
前記ＤＤＣとは、通信形式の名称であり、ビデオデータの表示条件やオーディオデータの条件のデータ以外に、ＨＤＭＩモニタに関する他のデータを併せて光ディスク再生装置に送信するのに用いられる回線である。ＤＤＣは、光ディスク再生装置内の通信線と接続されており、光ディスク再生装置とＨＤＭＩモニタとの間の回線を確立させるために用いられる。前記ＣＳＳは、データを暗号化して記録し、再生時に復号化するシステムである。
【０００６】
ところで、通常、音楽情報や映画情報などは著作権のある情報であり、不正なユーザによるコピーなどを防ぐ必要がある。デジタルオーディオのフォーマットで音楽情報が記録されたＣＤ−ＤＡ（コンパクト・ディスク−デジタル・オーディオ）ディスクやＭＰ３などのフォーマットで音楽情報が記録されたＣＤ−ＲＯＭディスクでは、音楽情報に著作権が必要な場合、予めオーディオデータ内に著作権保護情報が挿入されている。
【０００７】
このような音楽情報が記録された光ディスクを、前述したＨＤＭＩを採用した光ディスク再生装置に挿入して再生を行うと、光ディスクに記録されたオーディオデータがＨＤＭＩを介してレシーバ機器に送信される。そして、レシーバ機器では、受信したオーディオデータを所定処理して音声信号に変換し、この音声信号を音声出力装置に供給することにより、スピーカなどから音声が出力される。また、レシーバ機器では、オーディオデータ内に著作権保護情報が有ることを検知した場合は、ユーザがそのオーディオデータを記録媒体に不正にコピーしようとしても記録することができないように処理を行う。
【特許文献１】特開２００３−２７４２９７号公報
【発明の開示】
【発明が解決しようとする課題】
【０００８】
ところで、ユーザが、新しく購入してきた新しいＨＤＭＩ対応のテレビジョン受像機を、ＨＤＭＩケーブルによりＨＤＭＩ対応の光ディスク再生装置に接続し、光ディスク再生装置を再生動作させたとき、テレビジョン受像機からは、映像が出るが、音声が出ないとか、音声が出るが、映像が出ないという状態になる場合がある。このような状態になる原因は、基本的には、光ディスク再生装置にＨＤＭＩ接続される接続テスト済みのテレビジョン受像機のメーカ名や型番を含む機器固有情報が無いために、購入前にテレビジョン受像機のメーカ名や型番を調べることができないためである。機器固有情報は、メーカのホームページに記載されている場合もあるが、ユーザがインターネットを見れる環境が必要となる。また、光ディスク再生装置に付属の取扱説明書に、機器固有情報を記載することもできるが、ユーザが、取扱説明書を紛失した場合には、購入前にテレビジョン受像機のメーカ名や型番を調べることができない。
【０００９】
したがって、従来のＨＤＭＩ対応の光ディスク再生装置は、ユーザがテレビジョン受像機などのレシーバ機器を購入する前に，機器固有情報を調べることができないので、レシーバ機器から映像や音声が出なくなるという煩わしいアクシデントが発生した場合、メーカに対する苦情が増えるという課題があった。
【００１０】
なお、特許文献１の従来技術は、デジタルＴＶに１３９４インターフェイスを介して接続可能な外部機器の動作対応状況などを画面表示し、ユーザに接続可能な外部機器の動作対応状況などを提供するものであるが、インターフェイスとしてのＨＤＭＩの開示がなく、また、外部機器に対するデジタルＴＶの対応解像度や音声対応については開示されていない。
【００１１】
本発明は、上記のような課題を解決するためになされたもので、ＨＤＭＩ接続しても問題ないＨＤＭＩ対応のテレビジョン受像機やオーディオアンプなどのレシーバ機器のメーカ名や型番などをユーザが前もって知ることができる映像音声情報出力装置を提供することを目的とする。
【課題を解決するための手段】
【００１２】
上記目的を達成するために、請求項１の発明は、映像音声情報を出力するＨＤＭＩ対応の映像音声情報出力装置であって、前記映像音声情報出力装置と、ＨＤＭＩ対応の映像音声出力装置または音声出力装置であるレシーバ機器とを、ＨＤＭＩケーブルを介して接続して、前記レシーバ機器からのＥＤＩＤを前記映像音声情報出力装置に読み込ませて、前記映像音声情報出力装置からの対応解像度ごとに前記レシーバ機器で正常に映像音声または音声が出力されるか否かのＨＤＭＩ接続テストを行う場合、前記ＨＤＭＩケーブルを抜き差して、前記レシーバ機器にて映像が正常に出るか否かを判断する第１ステップと、前記映像音声情報出力装置の電源をオフし再びオンして、前記レシーバ機器にて映像が正常に出るか否かを判断する第２ステップと、前記レシーバ機器の電源をオフし再びオンして、前記レシーバ機器にて映像が正常に出るか否かを判断する第３ステップと、第１ステップと第２ステップと第３ステップによる接続テスト結果が全部ＯＫであるか否かを判断する第４ステップと、前記第４ステップの判断による接続テスト結果の何れかがＮＧであれば、前記接続テスト結果をＮＧと判断する第５ステップと、前記第４ステップの判断による接続テスト結果が全部ＯＫであるが、前記レシーバ機器が前記映像音声情報出力装置の音声対応の機器でなければ、前記接続テスト結果をＯＫと判断する第６ステップと、前記第４ステップの判断による接続テスト結果が全部ＯＫであり、前記レシーバ機器が前記映像音声情報出力装置の音声対応の機器であれば、対応解像度ごとに、基本のサンプリング周波数である所定の各周波数の音声が前記レシーバ機器から出力されるか否かを判断する第７ステップと、前記所定の各周波数の音声が前記レシーバ機器から出力されていないことが確認された場合は、前記接続テスト結果をＮＧと判断する第８ステップと、前記所定の各周波数の音声が前記レシーバ機器から出力されていることが確認された場合は、前記接続テスト結果をＯＫと判断する第９ステップとの各ステップに従ってＨＤＭＩ接続テストを行い、ＨＤＭＩ接続テストに合格したレシーバ機器のメーカ名および型番を含む機器固有情報をメモリに記憶させる機器固有情報記憶手段と、接続テスト済み機器表示要求があったときに前記メモリから機器固有情報を読み出し接続テスト済み機器の一覧表示画面を表示部に表示させる接続テスト済み機器表示手段とを有することを特徴とする映像音声情報出力装置を提供する。
【００１３】
この構成において、先ず、検査員は、映像音声情報出力装置とレシーバ機器をＨＤＭＩケーブルにより接続して、各電源をオンした後、レシーバ機器からのＥＤＩＤを映像音声情報出力装置に読み込ませる。そして、検査員は、ＨＤＭＩケーブルを抜き差し、映像音声情報出力装置からの対応解像度ごとにレシーバ機器で正常に映像が出力されるか否かを、レシーバ機器の画面を見ることにより判断する（第１ステップ）。次に、検査員は、映像音声情報出力装置の電源をオフし、また、電源を再びオンする。そして、検査員は、レシーバ機器の画面を見ることにより、映像が正常に出ているか否かを判断する（第２ステップ）。
【００１４】
この後、検査員は、レシーブ機器の電源をオフし、また、電源を再びオンする。そして、検査員は、レシーブ機器の画面を見ることにより、映像が正常に出ているか否かを判断する（第３ステップ）。検査員は、それらの第１ステップと第２ステップと第３ステップによる接続テスト結果が全部ＯＫであるか否かを判断する（第４ステップ）。第４ステップの判断による接続テスト結果の何れかがＮＧであれば、検査員は、接続テスト結果をＮＧと判断する（第５ステップ）。
【００１５】
前記第４ステップの判断による接続テスト結果が全部ＯＫであるが、レシーブ機器が映像音声情報出力装置の音声対応の機器でなければ、検査員は、接続テスト結果をＯＫと判断する（第６ステップ）。前記第４ステップの判断による接続テスト結果が全部ＯＫであり、レシーバ機器が音声対応の機器であれば、検査員は、対応解像度ごとに、基本のサンプリング周波数である所定の各周波数の音声が出力されるか否かの確認を行う（第７ステップ）。
【００１６】
前記各周波数の音声がレシーバ機器から出力されていないことが確認された場合は、検査員は、前記接続テスト結果をＮＧと判断する（第８ステップ）。各サンプリング周波数の音声が、レシーバ機器から出力されていることが確認された場合は、検査員は、接続テスト結果をＯＫと判断する（第９ステップ）。
【００１７】
以上のようなＨＤＭＩ接続テストを各メーカのレシーバ機器に対して行い、ＨＤＭＩ接続テストに合格したレシーバ機器のメーカ名および型番を含む機器固有情報を、映像音声情報出力装置における機器固有情報記憶手段によりメモリに記憶させる。次に、接続テスト済み機器表示手段は、ユーザからの接続テスト済み機器表示要求があったことを検知すると、メモリから機器固有情報を読み出し、表示部に接続テスト済み機器の一覧を表示させる。
【００１８】
この構成によれば、ＨＤＭＩ対応の映像音声情報出力装置とＨＤＭＩ接続しても問題ないＨＤＭＩ対応のテレビジョン受像機やオーディオアンプなどのレシーバ機器のメーカ名や型番などをユーザが前もって知ることができるので、ＨＤＭＩ対応の映像音声情報出力装置とＨＤＭＩ接続したいＨＤＭＩ対応のテレビジョン受像機やオーディオアンプなどのレシーバ機器をユーザが購入した場合に、レシーバ機器から映像や音声が出ない問題を発生するのを未然に防ぐことができ、この結果、レシーバ機器から映像や音声が出なくなるという煩わしいアクシデントが減り、メーカにとってもユーザからの苦情を減らすことができる。
【００１９】
請求項２の発明は、映像音声情報を出力するＨＤＭＩ対応の映像音声情報出力装置であって、ＨＤＭＩ対応の映像音声情報出力装置と、ＨＤＭＩ対応のテレビジョン受像機やオーディオ機器などのレシーバ機器とを、ＨＤＭＩケーブルを介して接続して、前記レシーバ機器からのＥＤＩＤを前記映像音声情報出力装置に読み込ませて、前記映像音声情報出力装置からの対応解像度ごとに前記レシーバ機器で正常に映像および音声が出力されるか否かのＨＤＭＩ接続テストを行い、ＨＤＭＩ接続テストに合格したレシーバ機器のメーカ名および型番を含む機器固有情報をメモリに記憶させる機器固有情報記憶手段と、接続テスト済み機器表示要求があったときに前記メモリから機器固有情報を読み出し接続テスト済み機器の一覧表示画面を表示部に表示させる接続テスト済み機器表示手段とを有することを特徴とする映像音声情報出力装置を提供する。
【００２０】
この構成において、ＨＤＭＩ対応の映像音声情報出力装置と、ＨＤＭＩ対応のテレビジョン受像機やオーディオ機器などのレシーバ機器とを、ＨＤＭＩケーブルを介して接続して、前記レシーバ機器からのＥＤＩＤを前記映像音声情報出力装置に読み込ませて、前記映像音声情報出力装置からの対応解像度ごとに前記レシーバ機器で正常に映像および音声が出力されるか否かのＨＤＭＩ接続テストを行う。
【００２１】
ＨＤＭＩ接続テストに合格したレシーバ機器のメーカ名および型番を含む機器固有情報は、機器固有情報記憶手段によりメモリに記憶される。接続テスト済み機器表示要求があったとき、前記メモリから機器固有情報が、接続テスト済み機器表示手段により読み出され、接続テスト済み機器の一覧表示画面が表示部に表示される。
【００２２】
この構成によれば、ＨＤＭＩ対応の映像音声情報出力装置とＨＤＭＩ接続しても問題ないＨＤＭＩ対応のテレビジョン受像機やオーディオアンプなどのレシーバ機器のメーカ名や型番などをユーザが前もって知ることができるので、ＨＤＭＩ対応の映像音声情報出力装置とＨＤＭＩ接続したいＨＤＭＩ対応のテレビジョン受像機やオーディオアンプなどのレシーバ機器をユーザが購入した場合に、レシーバ機器から映像や音声が出ない問題を発生するのを未然に防ぐことができ、この結果、レシーバ機器から映像や音声が出なくなるという煩わしいアクシデントが減り、メーカにとってもユーザからの苦情を減らすことができる。
【００２３】
請求項３の発明では、請求項２の発明において、前記ＨＤＭＩ接続テストは、前記ＨＤＭＩケーブルを抜き差して、前記レシーバ機器にて映像が正常に出るか否かを判断する第１ステップと、前記映像音声情報出力装置の電源をオフし再びオンして、前記レシーバ機器にて映像が正常に出るか否かを判断する第２ステップと、前記レシーバ機器の電源をオフし再びオンして、前記レシーバ機器にて映像が正常に出るか否かを判断する第３ステップと、第１ステップと第２ステップと第３ステップによる接続テスト結果が全部ＯＫであるか否かを判断する第４ステップと、前記第４ステップの判断による接続テスト結果の何れかがＮＧであれば、前記接続テスト結果をＮＧと判断する第５ステップと、前記第４ステップの判断による接続テスト結果が全部ＯＫであるが、レシーバ機器が映像音声情報出力装置の音声対応の機器でなければ、前記接続テスト結果をＯＫと判断する第６ステップと、前記第４ステップの判断による接続テスト結果が全部ＯＫであり、前記レシーバ機器が前記映像音声情報出力装置の音声対応の機器であれば、対応解像度ごとに、基本のサンプリング周波数である所定の各周波数の音声が前記レシーバ機器から出力されるか否かを判断する第７ステップと、前記所定の各周波数の音声が前記レシーバ機器から出力されていないことが確認された場合は、前記接続テスト結果をＮＧと判断する第８ステップと、前記所定の各周波数の音声が前記レシーバ機器から出力されていることが確認された場合は、前記接続テスト結果をＯＫと判断する第９ステップとにより、ＨＤＭＩ接続テストを行うことを特徴とする。
【００２４】
このように、ＨＤＭＩ接続テストは、第１ステップ〜第９ステップにより行われ、ＨＤＭＩ接続テストに合格したレシーバ機器のメーカ名および型番を含む機器固有情報を得ることができる。
【発明の効果】
【００２５】
以上のように本発明によれば、ＨＤＭＩ対応の映像音声情報出力装置とＨＤＭＩ接続しても問題ないＨＤＭＩ対応のテレビジョン受像機やオーディオアンプなどのレシーバ機器のメーカ名や型番などをユーザが前もって知ることができるので、ＨＤＭＩ対応の映像音声情報出力装置とＨＤＭＩ接続したいＨＤＭＩ対応のテレビジョン受像機やオーディオアンプなどのレシーバ機器をユーザが購入した場合に、レシーバ機器から映像や音声が出ない問題を発生するのを未然に防ぐことができ、この結果、レシーバ機器から映像や音声が出なくなるという煩わしいアクシデントが減り、メーカにとってもユーザからの苦情を減らすことができる。
【発明を実施するための最良の形態】
【００２６】
以下、添付図面を参照しつつ、本発明の実施の形態について説明する。図１は本発明の一実施形態に係る映像音声情報出力装置としての光ディスク再生装置およびレシーバ機器としてのテレビジョン受像機の構成を示すブロック図である。ここでは、映像音声情報出力装置として光ディスク再生装置について説明するが、光ディスク記録再生装置（ＤＶＤレコーダ）やハードディスクレコーダなどにおける映像および音声に関するＨＤＭＩ接続テストについては、同様な処理で行うことができる。また、レシーバ機器としてテレビジョン受像機を光ディスク再生装置に接続した構成について説明するが、オーディオアンプを光ディスク再生装置に接続した構成であっても、音声に関するＨＤＭＩ接続テストについては、同様な処理で行うことができる。
【００２７】
図１において、光ディスク再生装置１は、装置全体を制御するマイクロコンピュータなどを含むシステムコントローラ１１と、リモコン４から送信されてきたリモコンコードを受信するリモコン受信部１２と、リモコン４の操作パネル４２の操作キーの操作キー番号と該操作キーのリモコンコードをリモコン４に送信するリモコン送信部１３と、ＨＤＭＩ（High Definition Multimedia Interface）ケーブル３によって接続されるレシーバ機器としてのテレビジョン受像機２のメーカ名とリモコンコードとの対応関係を示すテーブルなどを記憶したフラッシュＲＯＭ１４と、文字情報をテレビジョン受像機２に表示させるＯＳＤ（On Screen Display ）回路１５と、ＤＶＤやＣＤなどの光ディスクの記録情報を再生する再生部１６と、ＨＤＭＩケーブル３を介してテレビジョン受像機２と通信を行うＨＤＭＩ通信部１７とを備えている。
【００２８】
テレビジョン受像機２は、受像機全体を制御するマイクロコンピュータを含む制御部２１と、制御部２１の制御プログラムや受像機のメーカ名を含む所定形式の識別子データを有するＥＤＩＤ（Extended Display Identification Data）などを記憶したフラッシュＲＯＭ２２と、映像回路およびディスプレイ装置などを含み映像を表示する映像表示部２３と、音声回路およびスピーカなどを含み音声を出力する音声出力部２４と、ＨＤＭＩケーブル３を介して光ディスク再生装置１と通信を行うＨＤＭＩ通信部２５とを備えている。
【００２９】
リモコン４は、リモコン全体を制御するマイクロコンピュータを含む制御部４１と、操作キー番号が予め割り当てられ光ディスク再生装置１などを遠隔操作する複数の操作キーが設けられた操作パネル４２と、操作パネル４２の操作キーに対応したリモコンコードを光ディスク再生装置１に送信するリモコン送信部４３と、光ディスク再生装置１から送信されてきたリモコンコードを受信するリモコン受信部４４と、複数のリモコンコードを操作パネル４２の操作キーの操作キー番号に対応したアドレスに記憶するフラッシュＲＯＭ４５とを備えている。
【００３０】
図２は本実施形態においてリモコンのキー配置の一例を示す図である。図２において、リモコン４の操作パネル４２には、電源キー４０１、トレイ開閉キー４０２、音量キー４０３、複数の数字キー４０４、ＤＶＤモード切換キー４０５、ＴＶモード切換キー４０６、再生リストキー４０７、メニューキー４０８、上方向きー４０９、下方向キー４１０、左方向キー４１１、右方向キー４１２、決定キー４１３、早戻しキー４１４、停止キー４１５、再生キー４１６、早送りキー４１７などが配置されている。なお、ここでのキーの配置や個数は一例であるので、これに限ることはない。
【００３１】
図３は本実施形態において光ディスク再生装置とレシーバ機器とがＨＤＭＩ接続された場合のＨＤＭＩ接続テストにおける項目と内容を説明するための図である。
【００３２】
図３において、テスト条件調査は、レシーバ機器の対応条件を調査する。即ち、レシーバ機器からのＥＤＩＤを光ディスク再生装置に読み込ませ、レシーバ機器の対応解像度と音声対応の有無について調査を行う。対応解像度とは、７２０×４８０ｐ,１２８０×７２０ｐ,１９２０×１０８０ｉ,１９２０×１０８０ｐなどである。映像に関するテストは、対応解像度ごとに、ＨＤＭＩケーブルの抜き差し、光ディスク再生装置の電源のオン→オフ→オンの操作、レシーバ機器の電源のオン→オフ→オンの操作をそれぞれ行い、正常に映像がレシーバ機器から出力されることを確認する。音声に関するテストは、レシーバ機器が光ディスク再生装置の音声に対応している場合、対応解像度ごとに、基本のサンプリング周波数である ４８ＫＨｚ、４４.１ＫＨｚ、３２ＫＨｚの音声がレシーバ機器から出力されるかを確認する。
【００３３】
図４は本実施形態において光ディスク再生装置とレシーバ機器とがＨＤＭＩ接続された場合のＨＤＭＩ接続テストの手順を説明するためのフローチャートである。このフローチャートを参照して光ディスク再生装置とレシーバ機器とがＨＤＭＩ接続された場合のＨＤＭＩ接続テストの手順を説明する。ＨＤＭＩ対応の光ディスク再生装置を設計するメーカは、量産前に可能な限り多くのＨＤＭＩ対応のテレビジョン受像機やオーディオアンプと、光ディスク再生装置との接続テストを行っておく。
【００３４】
ＨＤＭＩ接続テストを開始する場合（ステップＮ１）、レシーバ機器の対応条件を調査する（ステップＮ２）。即ち、レシーバ機器からのＥＤＩＤを光ディスク再生装置に読み込ませ、レシーバ機器の対応解像度と音声対応の有無について調査を行う。詳しくは、対応解像度ごとに、ＨＤＭＩケーブルの抜き差し、光ディスク再生装置の電源のオン→オフ→オンの操作、レシーバ機器の電源のオン→オフ→オンの操作をそれぞれ行い、正常に映像がレシーバ機器から出力されることを確認する（ステップＮ３）。
【００３５】
このように、正常に映像がレシーバ機器から出力されることを確認するが、この映像のテスト結果がＯＫであれば（ステップＮ４）、レシーバ機器が光ディスク再生装置の音声に対応しているかを確認する（ステップＮ５）。このテスト結果がＮＧであれば（ステップＮ４）、接続テスト結果をＮＧと判断し（ステップＮ９）、テストを終了する（ステップＮ１０）。
【００３６】
レシーバ機器が音声対応していれば（ステップＮ５）、対応解像度ごとに、基本のサンプリング周波数である ４８ＫＨｚ、４４.１ＫＨｚ、３２ＫＨｚの音声がレシーバ機器から出力されるかを確認する（ステップＮ６）。それらの音声のテスト結果がＯＫならば（ステップＮ７）、接続テストをＯＫと判断し（ステップＮ８）、それらの音声のテスト結果がＮＧならば（ステップＮ８）、接続テスト結果をＮＧと判断する（ステップＮ９）。レシーバ機器が音声対応していない場合は（ステップＮ５）、接続テスト結果をＯＫと判断し（ステップＮ８）、テストを終了する（ステップＮ１０）。
【００３７】
図５は、本実施形態において映像音声情報出力装置が光ディスク再生装置であり、レシーバ機器がテレビジョン受像機である場合に、光ディスク再生装置とテレビジョン受像機とがＨＤＭＩ接続されたときのＨＤＭＩ接続テスト方法の手順を示すフローチャートである。このフローチャートおよび図１〜図３を参照して光ディスク再生装置とテレビジョン受像機とがＨＤＭＩ接続されたときのＨＤＭＩ接続テスト方法の手順について説明する。
【００３８】
先ず、メーカの検査員は、光ディスク再生装置１からの対応解像度ごとに、テレビジョン受像機２で正常に映像が出力されるかの確認を行うため、光ディスク再生装置１とテレビジョン受像機２とをＨＤＭＩケーブル３により接続してリモコン４を操作して光ディスク再生装置１およびテレビジョン受像機２の電源をオンする。この場合、光ディスク再生装置１の電源をオンさせるには、リモコン４のＤＶＤモード切換キー４０５を押下して、電源キー４０１を押下すれば、光ディスク再生装置１の電源がオンする。また、テレビジョン受像機２の電源をオンさせるには、ＴＶモード切換キー４０６を押下して、電源キー４０１を押下すれば、テレビジョン受像機２の電源がオンする。なお、このリモコン４を使用しなくても、光ディスク再生装置１に付属のリモコン（図示せず）の電源キーを押下すれば、光ディスク再生装置１の電源がオンし、テレビジョン受像機２に付属のリモコン（図示せず）の電源キーを押下すれば、テレビジョン受像機２の電源がオンするが、ここの説明では、各操作はリモコン４により行うものとして説明する。
【００３９】
このように、検査員が、光ディスク再生装置１とテレビジョン受像機２とをＨＤＭＩケーブル３により接続して、各電源をオンした後、リモコン４のキーの特定操作により、光ディスク再生装置１に対して、テレビジョン受像機２からのＥＤＩＤを光ディスク再生装置１に読み込ませる指示を与え、これにより、テレビジョン受像機２からのＥＤＩＤを光ディスク再生装置１に読み込ませる。そして、検査員は、ＨＤＭＩケーブル３を抜き差する。これにより、ＨＤＭＩケーブル接続の認証処理およびリセット処理が行われる。
【００４０】
次に、検査員は、リモコン４の再生キー４１６を押下して、光ディスク再生装置１を再生動作させ、装填されている光ディスクから映像音声情報を読み出し、光ディスク再生装置１からの対応解像度ごとにテレビジョン受像機２で正常に映像が出力されるか否かを、テレビジョン受像機２の映像表示部２３の画面を見ることにより判断する（ステップＳ１；第１ステップ）。
【００４１】
次に、検査員は、リモコン４のＤＶＤモード切換キー４０５を押下し、更に、電源キー４０１を押下することにより、光ディスク再生装置１の電源をオフし、また、電源キー４０１を押下して、電源を再びオンする。そして、検査員は、テレビジョン受像機２の映像表示部２３の画面を見ることにより、映像が正常に出ているか否かを判断する（ステップＳ２；第２ステップ）。
【００４２】
この後、検査員は、リモコン４のＴＶモード切換キー４０６を押下し、更に、電源キー４０１を押下することにより、テレビジョン受像機２の電源をオフし、また、電源キー４０１を押下して、電源を再びオンする。そして、検査員は、テレビジョン受像機２の映像表示部２３の画面を見ることにより、映像が正常に出ているか否かを判断する（ステップＳ３；第３ステップ）。
【００４３】
検査員は、それらの第１ステップと第２ステップと第３ステップによる接続テスト結果が全部ＯＫであるか否かを判断する（ステップＳ４；第４ステップ）。前記第４ステップの判断による接続テスト結果の何れかがＮＧであれば、検査員は、前記接続テスト結果をＮＧと判断する（ステップＳ９；第５ステップ）。
【００４４】
前記第４ステップの判断による接続テスト結果が全部ＯＫであるが、テレビジョン受像機２が光ディスク再生装置１の音声対応の機器でなければ（ステップＳ５）、検査員は、前記接続テスト結果をＯＫと判断する（ステップＳ８；第６ステップ）。前記第４ステップの判断による接続テスト結果が全部ＯＫであり、テレビジョン受像機２が音声対応の機器であれば（ステップＳ５）、検査員は、対応解像度ごとに、基本のサンプリング周波数である ４８ＫＨｚ、４４.１ＫＨｚ、３２ＫＨｚの音声が出力されるか否かの確認を行う（ステップＳ６；第７ステップ）。
【００４５】
なお、サンプリング周波数４８ＫＨｚの音声をテレビジョン受像機２の音声出力部２４から出力させるには、光ディスク再生装置１において、音声信号がサンプリング周波数４８ＫＨｚで記録されたＤＶＤの音声信号を再生すれば良い。また、サンプリング周波数４４.１ＫＨｚの音声をテレビジョン受像機２の音声出力部２４から出力させるには、光ディスク再生装置１において、音声信号がサンプリング周波数４４.１ＫＨｚで記録されたＣＤの音声信号を再生すれば良い。更に、サンプリング周波数３２ＫＨｚの音声をテレビジョン受像機２の音声出力部２４から出力させるには、光ディスク再生装置１において、音声信号がサンプリング周波数３２ＫＨｚのＭＰ３方式で記録された光ディスクの音声信号を再生すれば良い。但し、ＭＰ３方式は、サンプリング周波数が４８ＫＨｚ、４４.１ＫＨｚ、３２ＫＨｚの音声信号があるので、サンプリング周波数が４８ＫＨｚ、４４.１ＫＨｚ、３２ＫＨｚで音声信号が記録された光ディスクがあれば、このＤＶＤの音声信号を再生すれば、サンプリング周波数が、４８ＫＨｚ、４４.１ＫＨｚ、３２ＫＨｚの音声信号をテレビジョン受像機２の音声出力部２４から出力させることができる。
【００４６】
前記各周波数の音声がテレビジョン受像機２の音声出力部２４から出力されていないことが確認された場合は、検査員は、前記接続テスト結果をＮＧと判断する（ステップＳ９；第８ステップ）。サンプリング周波数４８ＫＨｚ、４４.１ＫＨｚ、３２ＫＨｚの音声が、テレビジョン受像機２の音声出力部２４から出力されていることが確認された場合は、検査員は、前記接続テスト結果をＯＫと判断する（ステップＳ８；第９ステップ）。
【００４７】
これらのステップの処理により、ＨＤＭＩ接続テストに合格したテレビジョン受像機２のメーカ名および型番を含む機器固有情報は、光ディスク再生装置１において、システムコントローラ１１の機器固有情報記憶手段によりフラッシュＲＯＭ１４に記憶される。
【００４８】
以上のようなＨＤＭＩ接続テストを各メーカのテレビジョン受像機やオーディオ機器（オーディオアンプ）に対して行い、ＨＤＭＩ接続テストに合格したテレビジョン受像機やオーディオ機器（オーディオアンプ）のメーカ名および型番を含む機器固有情報を、光ディスク再生装置１におけるシステムコントローラ１１の機器固有情報記憶手段によりフラッシュＲＯＭ１４に記憶させる。以上のようなテストおよび機器固有情報の記憶処理により、当該光ディスク再生装置１にＨＤＭＩ接続が可能で、可能な限り多くのＨＤＭＩ対応のテレビジョン受像機やオーディオ機器（オーディオアンプ）のメーカ名および型番を含む機器固有情報を、当該光ディスク再生装置１のフラッシュＲＯＭ１４に記憶させる。
【００４９】
したがって、リモコン４のメニューキー４０８を押下して、光ディスク再生装置１の表示部１８にメニュー画面を表示させ、このメニュー画面から接続テスト済み機器一覧表示画面の項目を、リモコン４の上方向キー４０９や下方向キー４１０などを操作して選択し、決定キー４１３の押下により決定すると、表示部１８には、接続テスト済み機器の一覧が表示される。
【００５０】
図６は本実施形態における光ディスク再生装置の接続テスト済み機器表示機能の処理を説明するためのフローチャートである。このフローチャートおよび図１、図２を参照して光ディスク再生装置の接続テスト済み機器表示機能の処理について説明する。
【００５１】
図５のフローチャートで説明したような手順によりＨＤＭＩ接続テストを行った結果、ＨＤＭＩ接続テストに合格したレシーバ機器（テレビジョン受像機やオーディオ機器）のメーカ名および型番を含む機器固有情報を、光ディスク再生装置１におけるシステムコントローラ１１の機器固有情報記憶手段によりフラッシュＲＯＭ１４に記憶させる（ステップＴ１）。
【００５２】
そして、ユーザが、リモコン４のメニューキー４０８を押下すると、光ディスク再生装置１のシステムコントローラ１１は、フラッシュＲＯＭ１４からメニュー画面のデータを読み出し、ＯＳＤ回路１５でＯＳＤ処理させ、表示部１８にメニュー画面を表示させる。次に、ユーザは、メニュー画面上の接続テスト済み機器一覧表示画面の項目を、リモコン４の上方向キー４０９や下方向キー４１０などを操作して選択し、決定キー４１３の押下により決定すると、システムコントローラ１１の接続テスト済み機器表示手段は、接続テスト済み機器表示要求があったことを検知し（ステップＴ２）、フラッシュＲＯＭ１４から機器固有情報のデータを読み出し、ＯＳＤ回路１５でＯＳＤ処理させ、表示部１８に接続テスト済み機器の一覧を表示させる（ステップＴ３）。
【００５３】
したがって、ユーザは、前記接続テスト済み機器一覧表示画面に表示されたレシーバ機器（テレビジョン受像機やオーディオ機器）のメーカ名や型版番を参考にして、レシーバ機器（テレビジョン受像機やオーディオ機器）の購入検討を行うことができる。
【００５４】
以上説明したように本実施形態によれば、ＨＤＭＩ対応の光ディスク再生装置とＨＤＭＩ接続しても問題ないＨＤＭＩ対応のテレビジョン受像機やオーディオアンプなどのレシーバ機器のメーカ名や型番などをユーザが前もって知ることができるので、ＨＤＭＩ対応の光ディスク再生装置とＨＤＭＩ接続したいＨＤＭＩ対応のテレビジョン受像機やオーディオアンプなどのレシーバ機器をユーザが購入した場合に、レシーバ機器から映像や音声が出ない問題を発生するのを未然に防ぐことができ、この結果、レシーバ機器から映像や音声が出なくなるという煩わしいアクシデントが減り、メーカにとってもユーザからの苦情を減らすことができる。
【産業上の利用可能性】
【００５５】
本発明は、ＨＤＭＩ対応の光ディスク再生装置（ＤＶＤプレイヤ）などの映像音声情報再生装置に利用可能であり、映像音声情報出力装置とＨＤＭＩ接続しても問題ないＨＤＭＩ対応のテレビジョン受像機やオーディオアンプなどのレシーバ機器のメーカ名や型番などをユーザが前もって知ることができる。
【図面の簡単な説明】
【００５６】
【図１】本発明の一実施形態に係る映像音声情報出力装置としての光ディスク再生装置およびレシーバ機器としてのテレビジョン受像機の構成を示すブロック図である。
【図２】前記実施形態においてリモコンのキー配置の一例を示す図である。
【図３】前記実施形態において光ディスク再生装置とレシーバ機器とがＨＤＭＩ接続された場合のＨＤＭＩ接続テストにおける項目と内容を説明するための図である。
【図４】前記実施形態において光ディスク再生装置とレシーバ機器とがＨＤＭＩ接続された場合のＨＤＭＩ接続テストの手順を説明するためのフローチャートである。
【図５】前記実施形態において光ディスク再生装置とテレビジョン受像機とがＨＤＭＩ接続されたときのＨＤＭＩ接続テスト方法の手順を示すフローチャートである。
【図６】前記実施形態における光ディスク再生装置の接続テスト済み機器表示機能の処理を説明するためのフローチャートである。
【符号の説明】
【００５７】
１    光ディスク再生装置
２    テレビジョン受像機（レシーバ機器）
３    ＨＤＭＩケーブル
１１    システムコントローラ（機器固有情報記憶手段、接続テスト済み機器表示手段）
１４    フラッシュＲＯＭ（メモリ）
１８    表示部
【図１】
2008147832.tif 000003
【図２】
2008147832.tif 000004
【図３】
2008147832.tif 000005
【図４】
2008147832.tif 000006
【図５】
2008147832.tif 000007
【図６】
2008147832.tif 000008